(57)【要約】無線通信システムにおけるデータ通信方法が開示される。このデータ通信方法は、無線通信システムにおける端末でのデータ通信方法であって、ネットワークからダウンリンクチャネルリソース割当情報及び特定指示子を含むスケジューリング情報を受信する段階と、前記スケジューリング情報が第１端末識別子を含み、前記特定指示子が第１値を持つ場合、前記ダウンリンクチャネルリソース割当情報をパーシステントスケジューリング方式の設定情報として用いて、前記ネットワークから伝送されるダウンリンクデータを受信する段階と、前記スケジューリング情報が第１端末識別子を含み、前記特定指示子が第２値を持つ場合、前記ダウンリンクチャネルリソース割当情報を用いて、前記ネットワークから伝送される再伝送データを受信する段階と、を含む構成とした。【選択図】図６
2011511528.tif 000002
【特許請求の範囲】
【請求項１】
無線通信システムにおける端末でのデータ通信方法であって、
ネットワークからダウンリンクチャネルリソース割当情報及び特定指示子を含むスケジューリング情報を受信する段階と、
前記スケジューリング情報が第１端末識別子を含み、前記特定指示子が第１値を持つ場合、前記スケジューリング情報をパーシステントスケジューリング方式の設定情報として用いて、前記ネットワークから伝送されるダウンリンクデータパケットを受信する段階と、
前記スケジューリング情報が第１端末識別子を含み、前記特定指示子が第２値を持つ場合、前記スケジューリング情報を用いて、前記ネットワークから伝送される再伝送データパケットを受信する段階と、
を含む、データ通信方法。
【請求項２】
前記スケジューリング情報が第２端末識別子を含む場合、前記スケジューリング情報を動的スケジューリング方式によるチャネルリソース割当情報として用いることを特徴とする、請求項１に記載のデータ通信方法。
【請求項３】
前記スケジューリング情報が第１端末識別子を含み、前記特定指示子が第１値を持つ場合、前記スケジューリング情報は、少なくとも二つの伝送時間区間で用いられることを特徴とする、請求項１に記載のデータ通信方法。
【請求項４】
前記スケジューリング情報が第１端末識別子を含み、前記特定指示子が第２値を有するか、または、前記スケジューリング情報が第２端末識別子を含む場合、前記スケジューリング情報は、一つの伝送時間区間で用いられることを特徴とする、請求項２に記載のデータ通信方法。
【請求項５】
前記第１端末識別子は、ＳＰＳ（Ｓｅｍｉ−Ｐｅｒｓｉｓｔｅｎｔ  Ｓｃｈｅｄｕｌｉｎｇ）−Ｃ−ＲＮＴＩであることを特徴とする、請求項１に記載のデータ通信方法。
【請求項６】
前記特定指示子は、ＮＤＩ（Ｎｅｗ  Ｄａｔａ  Ｉｎｄｉｃａｔｏｒ）であることを特徴とする、請求項１に記載のデータ通信方法。
【請求項７】
前記第２端末識別子は、Ｃ−ＲＮＴＩまたは臨時（ｔｅｍｐｏｒａｒｙ）Ｃ−ＲＮＴＩであることを特徴とする、請求項２に記載のデータ通信方法。
【請求項８】
前記スケジューリング情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて受信されることを特徴とする、請求項１に記載のデータ通信方法。
【請求項９】
前記ダウンリンクデータパケットは、初期伝送データパケットであることを特徴とする、請求項１に記載のデータ通信方法。
【請求項１０】
前記再伝送データパケットは、パーシステントスケジューリング方式による初期伝送データパケットに対する再伝送パケットであることを特徴とする、請求項９に記載のデータ通信方法。
【請求項１１】
無線通信システムにおける端末でのデータ通信方法であって、
ネットワークからアップリンクチャネルリソース割当情報及び特定指示子を含むスケジューリング情報を受信する段階と、
前記スケジューリング情報が第１端末識別子を含み、前記特定指示子が第１値を持つ場合、前記スケジューリング情報をパーシステントスケジューリング方式の設定情報として用いて、前記ネットワークにアップリンクデータを伝送する段階と、
前記スケジューリング情報が第１端末識別子を含み、前記特定指示子が第２値を持つ場合、前記スケジューリング情報を用いて、前記ネットワークに再伝送データを伝送する段階と、
を含む、データ通信方法。
【請求項１２】
前記第１スケジューリング情報が第２端末識別子を含む場合、前記スケジューリング情報を動的スケジューリング方式によるチャネルリソース割当情報として用いることを特徴とする、請求項１１に記載のデータ通信方法。
【請求項１３】
前記スケジューリング情報が第１端末識別子を含み、前記特定指示子が第１値を持つ場合、前記スケジューリング情報は、少なくとも二つの伝送時間区間で用いられることを特徴とする、請求項１１に記載のデータ通信方法。
【請求項１４】
前記スケジューリング情報が第１端末識別子を含み、前記特定指示子が第２値を有するか、または、前記スケジューリング情報が第２端末識別子を含む場合、前記スケジューリング情報は、一つの伝送時間区間で用いられることを特徴とする、請求項１１に記載のデータ通信方法。
【請求項１５】
前記第１端末識別子は、ＳＰＳ−Ｃ−ＲＮＴＩであることを特徴とする、請求項１１に記載のデータ通信方法。
【請求項１６】
前記特定指示子は、ＮＤＩ（Ｎｅｗ  Ｄａｔａ  Ｉｎｄｉｃａｔｏｒ）であることを特徴とする、請求項１１に記載のデータ通信方法。
【請求項１７】
前記第２端末識別子は、Ｃ−ＲＮＴＩまたは臨時Ｃ−ＲＮＴＩであることを特徴とする、請求項１２に記載のデータ通信方法。
【請求項１８】
前記スケジューリング情報は、ＰＤＣＣＨを通じて受信されることを特徴とする、請求項１１に記載のデータ通信方法。
【請求項１９】
前記アップリンクデータパケットは、初期伝送データパケットであることを特徴とする、請求項１１に記載のデータ通信方法。
【請求項２０】
前記再伝送データパケットは、パーシステントスケジューリング方式による初期伝送データパケットに対する再伝送パケットであることを特徴とする、請求項１９に記載のデータ通信方法。
【請求項２１】
無線通信システムにおける端末でのデータ通信方法であって、
ネットワークからパーシステントスケジューリングの設定のためのスケジューリング情報を受信する段階と、
前記ネットワークから前記スケジューリング情報を用いて少なくとも二つのダウンリンクデータパケットを受信する段階と、
を含み、
前記受信された各ダウンリンクデータパケットのＨＡＲＱプロセス識別子を、前記ネットワークからあらかじめ割り当てられた少なくとも二つのＨＡＲＱプロセス識別子（ＨＡＲＱ  Ｐｒｏｃｅｓｓ  ＩＤｓ）のうちの各ＨＡＲＱプロセス識別子に順次に設定することを特徴とする、データ通信方法。
【請求項２２】
前記受信された少なくとも二つのダウンリンクデータパケットは、初期伝送データパケットであることを特徴とする、請求項２１に記載のデータ通信方法。
【請求項２３】
前記スケジューリング情報は、前記端末を識別するＳＰＳ−Ｃ−ＲＮＴＩと特定値に設定されたＮＤＩとを含むことを特徴とする、請求項２１に記載のデータ通信方法。
【請求項２４】
前記スケジューリング情報は、ダウンリンクチャネルリソース割当情報及びＨＡＲＱ関連情報を含むことを特徴とする、請求項２１に記載のデータ通信方法。
【請求項２５】
無線通信システムにおけるネットワークでのデータ通信方法であって、
端末にパーシステントスケジューリング方式によるダウンリンクデータ受信のための少なくとも二つのＨＡＲＱプロセス識別子を割り当てる段階と、
前記端末にパーシステントスケジューリングの設定のためのスケジューリング情報を伝送する段階と、
前記端末に前記スケジューリング情報によって少なくとも二つのダウンリンクデータパケットを伝送する段階と、
を含み、
前記端末で前記受信した各ダウンリンクデータパケットのＨＡＲＱプロセス識別子は、前記ネットワークからあらかじめ割り当てられた少なくとも二つのＨＡＲＱプロセス識別子のうちの各ＨＡＲＱプロセス識別子に順次に設定されることを特徴とする、データ通信方法。
【請求項２６】
前記少なくとも二つのダウンリンクデータパケットは、初期伝送データパケットであることを特徴とする、請求項２５に記載のデータ通信方法。
【請求項２７】
前記スケジューリング情報は、前記端末を識別するＳＰＳ−Ｃ−ＲＮＴＩと特定値に設定されたＮＤＩとを含むことを特徴とする、請求項２５に記載のデータ通信方法。
【請求項２８】
前記スケジューリング情報は、ダウンリンクチャネルリソース割当情報及びＨＡＲＱ関連情報を含むことを特徴とする、請求項２５に記載のデータ通信方法。
【発明の詳細な説明】
【技術分野】
【０００１】
本発明は、無線通信システムに係り、より詳細には、無線通信システムにおけるデータ通信方法に関するものである。
【背景技術】
【０００２】
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）やＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）などのように多重搬送波方式を用いる無線通信システムにおいて、無線リソースは、連続した副搬送波（ｓｕｂ−ｃａｒｒｉｅｒ）の集合であり、２次元空間の時間−周波数領域（ｔｉｍｅ−ｆｒｅｑｕｅｎｃｙ  ｒｅｇｉｏｎ）によって定義される。一つの時間−周波数領域は、時間座標及び副搬送波座標によって区分される直方形で区分される。すなわち、一つの時間−周波数領域は、少なくとも一つの時間軸上におけるシンボルと、多数の周波数軸上における副搬送波によって区画される直方形に区分することができる。このような時間−周波数領域は、特定ＵＥのアップリンクに割り当てられるか、または、ダウンリンクでは基地局により特定のユーザに伝送されることができる。２次元空間でこのような時間−周波数領域を定義するためには、時間領域においてＯＦＤＭシンボルの数、及び周波数領域において基準点からのオフセット（ｏｆｆｓｅｔ）だけ離れた位置から始まる連続した副搬送波の数が与えられなければならない。
【０００３】
現在議論されているＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、１０ｍｓの無線フレーム（ｒａｄｉｏ  ｆｒａｍｅ）を使用し、一つの無線フレームは１０個のサブフレーム（ｓｕｂｆｒａｍｅ）で構成される。また、一つのサブフレームは、二つの連続するスロットで構成される。一つのスロット長は０．５ｍｓである。また、一つのサブフレームは、多数のＯＦＤＭシンボルで構成され、多数のＯＦＤＭシンボルのうち一部のシンボル（例えば、１番目のシンボル）は、Ｌ１／Ｌ２制御情報を伝送するために用いることができる。
【０００４】
図１は、Ｅ−ＵＭＴＳシステムで使用する物理チャネル構造の一例を示す図であり、一つのサブフレームは、Ｌ１／Ｌ２制御情報伝送領域（ハッチングした部分）とデータ伝送領域（ハッチングしていない部分）とから構成される。
【０００５】
図２は、Ｅ−ＵＭＴＳにおいてデータを伝送する一般的な方法を説明するための図である。Ｅ−ＵＭＴＳでは、スループット（ｔｈｒｏｕｇｈｐｕｔ）を向上させて円滑な通信を行う目的として、データ再伝送手法の一つであるハイブリッド自動再送要求（ＨＡＲＱ：  Ｈｙｂｒｉｄ  Ａｕｔｏ  Ｒｅｐｅａｔ  ｒｅＱｕｅｓｔ）手法を用いる。
【０００６】
図２を参照すると、基地局は、ＨＡＲＱ手法によりデータを端末に伝送するために、ＤＬ  Ｌ１／Ｌ２制御チャネル、例えば、ＰＤＣＣＨ（Ｐｈｙｓｉｃａｌ  Ｄｏｗｎｌｉｎｋ  Ｃｏｎｔｒｏｌ  Ｃｈａｎｎｅｌ）を通じてダウンリンクスケジューリング情報（Ｄｏｗｎｌｉｎｋ  Ｓｃｈｅｄｕｌｉｎｇ  Ｉｎｆｏｒｍａｔｉｏｎ；以下、‘ＤＬスケジューリング情報’という。）を伝送する。このＤＬスケジューリング情報は、端末識別子または端末のグループ識別子（ＵＥ  ＩｄまたはＧｒｏｕｐ  Ｉｄ）、ダウンリンクデータの伝送のために割り当てられた無線リソースの位置（Ｒｅｓｏｕｒｃｅ  ａｓｓｉｇｎｍｅｎｔ）及び区間（Ｄｕｒａｔｉｏｎ  ｏｆ  ａｓｓｉｇｎｍｅｎｔ）情報、変調方式、ペイロード（ｐａｙｌｏａｄ）大きさ、ＭＩＭＯ関連情報のような伝送パラメータ（ｔｒａｎｓｍｉｓｓｉｏｎ  ｐａｒａｍｅｔｅｒｓ）、ＨＡＲＱプロセス情報、リダンダンシーバージョン（Ｒｅｄｕｎｄａｎｃｙ  Ｖｅｒｓｉｏｎ）、及び新しいデータか否かを表す識別情報（Ｎｅｗ  Ｄａｔａ  Ｉｎｄｉｃａｔｏｒ）などを含むことができる。
【０００７】
上記過程で、ＰＤＣＣＨを通じて伝送されるＤＬスケジューリング情報が、どの端末のためのものなのかを知らせるために、端末識別子（または、グループ識別子）、例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ）が伝送される。ＲＮＴＩは、専用（Ｄｅｄｉｃａｔｅｄ）ＲＮＴＩと共用（Ｃｏｍｍｏｎ）ＲＮＴＩとに区別される。専用ＲＮＴＩは、基地局に情報が登録されている端末へのデータ送受信に使われる。共用ＲＮＴＩは、基地局に情報が登録されておらず、専用ＲＮＴＩが割り当てられていない端末との通信を行う場合、または、システム情報のように複数の端末が共通に使用する情報の送受信に使われる。例えば、ＲＡＣＨ（Ｒａｎｄｏｍ  Ａｃｃｅｓｓ  Ｃｈａｎｎｅｌ）を通じたランダムアクセス過程で使われるＲＡ−ＲＮＴＩまたはＴ−Ｃ−ＲＮＴＩが、共用ＲＮＴＩに含まれる。この端末識別子またはグループ識別子は、ＰＤＣＣＨを通じて伝送されるＤＬスケジューリング情報にＣＲＣ（Ｃｙｃｌｉｃ  Ｒｅｄｕｎｄａｎｃｙ  Ｃｈｅｃｋ）マスキングされる形態で伝送されることができる。
【０００８】
特定セルに位置している端末は、自身の持っているＲＮＴＩ情報を用いてＬ１／Ｌ２制御チャネルを通じてＰＤＣＣＨをモニタリングし、自身のＲＮＴＩでＣＲＣデコーディングに成功すると、該当のＰＤＣＣＨを通じてＤＬスケジューリング情報を受信する。この端末は、受信したＤＬスケジューリング情報により指示されるＰＤＳＣＨ（Ｐｈｙｓｉｃａｌ  Ｄｏｗｎｌｉｎｋ  Ｓｈａｒｅｄ  Ｃｈａｎｎｅｌ）を通じて自分に伝送されるダウンリンクデータを受信する。
【０００９】
スケジューリング方式は、動的（ｄｙｎａｍｉｃ）スケジューリング方式と、パーシステントまたはセミパーシステント（ｐｅｒｓｉｓｔｅｎｔ  ｏｒ  ｓｅｍｉ−ｐｅｒｓｉｓｔｅｎｔ  ｓｃｈｅｄｕｌｉｎｇ）スケジューリング方式とに区別することができる。動的スケジューリング方式は、特定端末のためにアップリンクまたはダウンリンクリソースを割り当てる必要がある度にＤＰＣＣＨを通じて当該端末にスケジューリング情報を伝送する方式である。パーシステントスケジューリング方式とは、基地局が、例えば、無線ベアラ（ｒａｄｉｏ  ｂｅａｒｅｒ）設定時のような呼設定初期に、ダウンリンクまたはアップリンクスケジューリング情報を端末に静的に（ｓｔａｔｉｃａｌｌｙ）割り当てる方式のことをいう。この文書では、“パーシステントスケジューリング”が“セミパーシステントスケジューリング”と同じ意味を有するとする。
【００１０】
パーシステントスケジューリング方式の場合、端末は、データを送信または受信する度に、ＤＬスケジューリング情報またはＵＬスケジューリング情報を基地局から受信するのではなく、当該基地局にあらかじめ割り当てられているスケジューリング情報を用いる。例えば、基地局が、無線ベアラ設定過程でＲＲＣ信号を介して“Ａ”という無線リソースを通じて“Ｂ”という伝送形式で“Ｃ”という周期によってダウンリンクデータを受信する旨を特定端末にあらかじめ設定したとすれば、この端末は、“Ａ”、“Ｂ”、“Ｃ”情報を用いて、基地局から伝送されるダウンリンクデータを受信することができる。同様に、端末が基地局にデータを送信する場合にも、あらかじめ割り当てられたアップリンクスケジューリング情報に従って、あらかじめ定められた無線リソースを用いてアップリンクデータを伝送することができる。このパーシステントスケジューリング方式は、音声通話のように規則的なトラフィックの特性を有するサービスによく適用されうるスケジューリング方式である。
【００１１】
音声通話で使用されるＡＭＲコーデック、すなわち、音声コーデックを通じて生成された音声データは、特別な特性を有する。すなわち、音声データは、音声区間（ｔａｌｋ  ｓｐｕｒｔ）と黙音区間（ｓｉｌｅｎｔ  ｐｅｒｉｏｄ）の２つの区間に区別される。音声区間は、人が実際に話している間に生成される音声データ区間を意味し、黙音区間は、人が話していない間に生成される音声データ区間である。例えば、音声区間で音声データを含む音声パケットは、毎２０ｍｓごとに生成され、黙音区間で音声データを含む黙音パケット（ＳＩＤ）は、毎１６０ｍｓごとに生成される。
【００１２】
パーシステントスケジューリング方式を音声通話に用いる場合、基地局は、音声区間に合わせて無線リソースを設定することができる。すなわち、基地局は、毎２０ｍｓごとに音声パケットが生成されるという特性に着目して、呼設定段階で、端末に２０ｍｓ間隔で、アップリンクまたはダウンリンクデータを送受信するための無線リソースをあらかじめ設定し、端末は、２０ｍｓ間隔であらかじめ設定された無線リソースを用いて、ダウンリンクデータを受信したりアップリンクデータを伝送する。
【発明の概要】
【発明が解決しようとする課題】
【００１３】
上記の通り、パーシステントスケジューリング方式を用いて音声通話のためのアップリンクまたはダウンリンクリソースをスケジューリングする時、黙音区間から音声区間に切り替わる場合、または、その逆の場合に、基地局が、あらかじめ割り当てられた無線リソース割当情報を迅速に変更して、切り替わった区間特性に合う無線リソースを再割当するような方案が要求される。黙音区間と音声区間との相互切替の他にも、音声通話時にＡＭＲコーデックモード間の切替、ＰＤＣＰエンティティでフルヘッダー（ｆｕｌｌ  ｈｅａｄｅｒ）パケット生成区間と圧縮ヘッダー（ｃｏｍｐｒｅｓｓｅｄ  ｈｅａｄｅｒ）パケット生成区間との切替などのようなイベント発生時に、パーシステントスケジューリング方式によってあらかじめ割り当てられた無線リソースでは、イベント発生後に生成されるデータを效率的に伝送または受信できないという問題点がある。
【００１４】
無線通信システムにおいて一つの端末に対して動的スケジューリング方式及びパーシステントスケジューリング方式を同時に適用して通信を行うことができる。例えば、ＨＡＲＱ方式によってＶｏＩＰサービスによる音声通話をする場合、初期伝送パケットに対してはパーシステントスケジューリング方式が適用され、再伝送パケットに対しては動的スケジューリング方式が適用される。また、この端末が２つ以上のサービスを同時に利用する場合、一つのサービスに対してはパーシステントスケジューリング方式が適用され、他のサービスに対しては動的スケジューリング方式が適用されることができる。これらの場合において、端末にとっては、自身に伝送されるスケジューリング情報がどのようなスケジューリング方式によるものか、初期伝送パケットのためのものなのか或いは再伝送パケットのためのものなのか、またはどのサービスのためのものなのか等について明確に区別できる方式が要求される。また、パーシステントスケジューリング方式の場合、初期伝送パケットに対して持続して使用されるパーシステントスケジューリングのための設定情報なのか、或いは、再伝送パケットに対して一時的に使用されるスケジューリング情報なのかについての明確な区別が要求される。
【００１５】
本発明は、上記の従来技術における問題点を解決するために案出されたもので、その目的は、無線通信システムにおいて無線リソースを効率的に使用できる無線通信システムにおけるデータ通信方法を提供することにある。
【００１６】
本発明の他の目的は、端末が、パーシステントスケジューリングのためのスケジューリング情報と再伝送データパケットの送受信のためのスケジューリング情報とを明確に区別できる無線通信システムにおけるデータ通信方法を提供することにある。
【００１７】
本発明のさらに他の目的は、パーシステントスケジューリング方式が適用される場合、非同期方式でＨＡＲＱ伝送が行われるダウンリンクデータ伝送過程において、端末が初期伝送データパケットのＨＡＲＱプロセス識別子を区別できる無線通信システムにおけるデータ通信方法を提供することにある。
【００１８】
本発明が解決しようとする技術的課題は、以上で言及した技術的課題に制限されず、言及されていない別の技術的課題は、以下の発明の詳細な説明から、本発明の属する技術分野における通常の知識を有する者には明確に理解される。
【課題を解決するための手段】
【００１９】
本発明の一様相によるデータ通信方法は、無線通信システムにおける端末でのデータ通信方法において、第１端末識別子を含み、特定フィールドが特定値に設定された第１スケジューリング情報をネットワークから受信する段階と、前記第１スケジューリング情報を用いて、パーシステントスケジューリング方式によって前記ネットワークから伝送された第１データパケットを受信する段階と、を含んで構成されることができる。前記第１端末識別子を含み、前記特定フィールドが前記特定値以外の値に設定された第２スケジューリング情報を前記ネットワークから受信する場合、前記端末は、前記第２スケジューリング情報を用いて、前記ネットワークから伝送された第２データパケットを受信する。前記第２スケジューリング情報は、該当の伝送時間区間でのみ用いられる。
【００２０】
本発明の他の様相によるデータ通信方法は、無線通信システムにおける端末でのデータ通信方法において、第１端末識別子を含み、特定フィールドが特定値に設定された第１スケジューリング情報をネットワークから受信する段階と、前記第１スケジューリング情報を用いて、パーシステントスケジューリング方式によって前記ネットワークに第１データパケットを伝送する段階と、を含んで構成されることができる。前記第１端末識別子を含み、前記特定フィールドが前記特定値以外の値に設定された第２スケジューリング情報を前記ネットワークから受信する場合、前記端末は、前記第２スケジューリング情報を用いて、前記ネットワークに第２データパケットを伝送する。前記第２スケジューリング情報は、該当の伝送時間区間でのみ用いられる。
【００２１】
本発明のさらに他の様相によるデータ通信方法は、無線通信システムにおける端末でのデータ通信方法において、ネットワークからダウンリンクチャネルリソース割当情報及び特定指示子を含むスケジューリング情報を受信する段階と、前記スケジューリング情報が第１端末識別子を含み、前記特定指示子が第１値を持つ場合、前記スケジューリング情報をパーシステントスケジューリング方式の設定情報として用いて、前記ネットワークから伝送されるダウンリンクデータパケットを受信する段階と、前記スケジューリング情報が第１端末識別子を含み、前記特定指示子が第２値を持つ場合、前記スケジューリング情報を用いて、前記ネットワークから伝送される再伝送データパケットを受信する段階と、を含んで構成される。
【００２２】
本発明のさらに他の様相によるデータ通信方法は、無線通信システムにおける端末でのデータ通信方法において、ネットワークからアップリンクチャネルリソース割当情報及び特定指示子を含むスケジューリング情報を受信する段階と、前記スケジューリング情報が第１端末識別子を含み、前記特定指示子が第１値を持つ場合、前記スケジューリング情報をパーシステントスケジューリング方式の設定情報として用いて、前記ネットワークにアップリンクデータを伝送する段階と、前記スケジューリング情報が第１端末識別子を含み、前記特定指示子が第２値を持つ場合、前記スケジューリング情報を用いて前記ネットワークから再伝送データを伝送する段階と、を含んで構成される。
【００２３】
本発明のさらに他の様相によるデータ通信方法は、無線通信システムにおける端末でのデータ通信方法において、ネットワークからパーシステントスケジューリングのためのダウンリンクチャネルリソース設定情報を受信する段階と、前記ネットワークから前記ダウンリンクチャネルリソース設定情報を用いて少なくとも二つのダウンリンクデータパケットを受信する段階と、を含み、前記受信された各ダウンリンクデータパケットのＨＡＲＱプロセス識別子を、前記ネットワークからあらかじめ割り当てられた少なくとも二つのＨＡＲＱプロセス識別子（ＨＡＲＱ  Ｐｒｏｃｅｓｓ  ＩＤｓ）のうちの各ＨＡＲＱプロセス識別子に順次に設定することを特徴とする。
【００２４】
本発明のさらに他の様相によるデータ通信方法は、無線通信システムにおけるネットワークでのデータ通信方法において、端末にパーシステントスケジューリング方式によるダウンリンクデータ受信のための少なくとも二つのＨＡＲＱプロセス識別子を割り当てる段階と、前記端末にパーシステントスケジューリングの設定のためのスケジューリング情報を伝送する段階と、前記端末に前記スケジューリング情報によって少なくとも二つのダウンリンクデータパケットを伝送する段階と、を含み、前記端末で前記受信した各ダウンリンクデータパケットのＨＡＲＱプロセス識別子は、前記ネットワークからあらかじめ割り当てられた少なくとも二つのＨＡＲＱプロセス識別子のうちの各ＨＡＲＱプロセス識別子に順次に設定されることを特徴とする。
【００２５】
本文書で“スケジューリング情報”とは、端末にダウンリンク及び／またはアップリンクチャネルリソースを割り当てるためにネットワークから端末に伝送される情報のことを意味する。このスケジューリング情報は、制御チャネルを通じて端末に伝送され、ダウンリンク及び／またはアップチャネルリソース割当情報及びＨＡＲＱ関連情報を含むことができる。“スケジューリング情報”という用語は、“リソース割当情報”、“アップリンク／ダウンリンク割当情報”などのように本発明の属する技術分野において通常的に使用される用語に代替することもできる。
【発明の効果】
【００２６】
本発明によれば、下記の効果が得られる。
【００２７】
第一、無線通信システムにおいて無線リソースを効率的に使用することができる。
【００２８】
第二、無線通信システムにおいてネットワークと端末間にパーシステントスケジューリング方式による通信がなされる時、端末がネットワークから受信するスケジューリング情報がパーシステントスケジューリングのための設定情報なのか、または、再伝送データパケットの送受信のためのスケジューリング情報なのかを明確に区別することができる。
【００２９】
第三、無線通信システムにおいてネットワークと端末間にパーシステントスケジューリング方式による通信がなされる時、非同期方式でＨＡＲＱ伝送がなされるダウンリンクデータ伝送過程で、端末が初期データパケットのＨＡＲＱプロセス識別子を明確に区別することができる。
【００３０】
本発明による効果は以上の効果に制限されず、言及されていない別の効果は、以下の発明の詳細な説明から、本発明の属する技術分野における通常の知識を有する者には明らかになる。
【図面の簡単な説明】
【００３１】
【図１】Ｅ−ＵＭＴＳシステムで用いる物理チャネル構造の一例を示す図である。
【図２】Ｅ−ＵＭＴＳでデータを伝送する一般的な方法を説明するための図である。
【図３】Ｅ−ＵＭＴＳのネットワーク構造を示す図である。
【図４】Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の概略的な構成図である。
【図５Ａ】端末（ＵＥ）とＥ−ＵＴＲＡＮ間の無線インターフェースプロトコル（Ｒａｄｉｏ  Ｉｎｔｅｒｆａｃｅ  Ｐｒｏｔｏｃｏｌ）の構造を示すもので、図５Ａが制御プレーンプロトコル構成図で、図５Ｂがユーザプレーンプロトコル構成図である。
【図５Ｂ】端末（ＵＥ）とＥ−ＵＴＲＡＮ間の無線インターフェースプロトコル（Ｒａｄｉｏ  Ｉｎｔｅｒｆａｃｅ  Ｐｒｏｔｏｃｏｌ）の構造を示すもので、図５Ａが制御プレーンプロトコル構成図で、図５Ｂがユーザプレーンプロトコル構成図である。
【図６】本発明の一実施例によるデータ伝送方法の手順を示すフローチャートである。
【図７】本発明の他の実施例によるデータ伝送方法の手順を示すフローチャートである。
【図８】本発明のさらに他の実施例によるデータ伝送方法の手順を示すフローチャートである。
【図９】本発明のさらに他の実施例によるデータ伝送方法の手順を示すフローチャートである。
【図１０】本発明のさらに他の実施例によるデータ伝送方法の手順を示すフローチャートである。
【発明を実施するための形態】
【００３２】
以下、添付の図面を参照して説明された本発明の実施例によって、本発明の構成、作用及び他の特徴が容易に理解される。以下に説明される実施例は、本発明の技術的特徴がＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に適用された例とする。
【００３３】
図３は、Ｅ−ＵＭＴＳのネットワーク構造を示す図である。Ｅ−ＵＭＴＳシステムは、既存のＷＣＤＭＡ  ＵＭＴＳシステムから進化したシステムであり、現在３ＧＰＰ（３ｒｄ  Ｇｅｎｅｒａｔｉｏｎ  Ｐａｒｔｎｅｒｓｈｉｐ  Ｐｒｏｊｅｃｔ）で基礎的な標準化作業が進行されている。Ｅ−ＵＭＴＳは、ＬＴＥ（Ｌｏｎｇ  Ｔｅｒｍ  Ｅｖｏｌｕｔｉｏｎ）システムと呼ばれることもできる。
【００３４】
図３を参照すると、Ｅ−ＵＴＲＡＮは、基地局（以下、‘ｅＮｏｄｅ  Ｂ’または‘ｅＮＢ’と略す。）で構成され、ｅＮＢ同士間はＸ２インターフェースを通じて連結される。ｅＮＢは無線インターフェースを通じて端末（Ｕｓｅｒ  Ｅｑｕｉｐｍｅｎｔ；以下、‘ＵＥ’と略す。）と連結され、Ｓ１インターフェースを通じてＥＰＣ（Ｅｖｏｌｖｅｄ  Ｐａｃｋｅｔ  Ｃｏｒｅ）に連結される。ＥＰＣは、ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイを含む。
【００３５】
端末とネットワーク間の無線インターフェースプロトコル（Ｒａｄｉｏ  Ｉｎｔｅｒｆａｃｅ  Ｐｒｏｔｏｃｏｌ）層は、通信システムで広く知られた開放型システム間相互接続（Ｏｐｅｎ  Ｓｙｓｔｅｍ  Ｉｎｔｅｒｃｏｎｎｅｃｔｉｏｎ；  ＯＳＩ）基準モデルの下位の３層に基づいてＬ１（第１層）、Ｌ２（第２層）、Ｌ３（第３層）に区分することができる。このうち、第１層に属する物理層は、物理チャネル（Ｐｈｙｓｉｃａｌ  Ｃｈａｎｎｅｌ）を用いた情報伝送サービス（Ｉｎｆｏｒｍａｔｉｏｎ  Ｔｒａｎｓｆｅｒ  Ｓｅｒｖｉｃｅ）を提供し、第３層に位置する無線リソース制御（Ｒａｄｉｏ  Ｒｅｓｏｕｒｃｅ  Ｃｏｎｔｒｏｌ；以下、‘ＲＲＣ’と略す。）層は、端末とネットワーク間において無線リソースを制御する役割を果たす。このために、ＲＲＣ層は、端末とネットワーク間にＲＲＣメッセージを互いに交換するようにする。ＲＲＣ層は、Ｎｏｄｅ  ＢとＡＧなどのネットワークノードに分散して位置することもでき、Ｎｏｄｅ  ＢまたはＡＧに独立して位置することもできる。
【００３６】
図４は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の概略的な構成図である。図４で、ハッチング（ｈａｔｃｈｉｎｇ）した部分は、ユーザプレーン（ｕｓｅｒ  ｐｌａｎｅ）の機能的エンティティを示し、ハッチングしていない部分は、制御プレーン（ｃｏｎｔｒｏｌ  ｐｌａｎｅ）の機能的エンティティを示す。
【００３７】
図５Ａ及び図５Ｂは、端末（ＵＥ）とＥ−ＵＴＲＡＮ間の無線インターフェースプロトコル（Ｒａｄｉｏ  Ｉｎｔｅｒｆａｃｅ  Ｐｒｏｔｏｃｏｌ）の構造を示す図で、図５Ａが制御プレーンプロトコル構成図であり、図５Ｂがユーザプレーンプロトコル構成図である。図５Ａ及び図５Ｂの無線インターフェースプロトコルは、水平的に、物理層（Ｐｈｙｓｉｃａｌ  Ｌａｙｅｒ）、データリンク層（Ｄａｔａ  Ｌｉｎｋ  Ｌａｙｅｒ）及びネットワーク層（Ｎｅｔｗｏｒｋ  Ｌａｙｅｒ）からなり、垂直的には、データ情報伝送のためのユーザプレーン（Ｕｓｅｒ  Ｐｌａｎｅ）と制御信号（Ｓｉｇｎａｌｉｎｇ）伝達のための制御プレーン（Ｃｏｎｔｒｏｌ  Ｐｌａｎｅ）とに区別される。図５Ａ及び図５Ｂのプロトコル層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位の３層に基づいてＬ１（第１層）、Ｌ２（第２層）、Ｌ３（第３層）に区別することができる。
【００３８】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を通じて連結されており、この伝送チャネルを通じて媒体接続制御層と物理層間のデータが移動する。そして、それぞれ異なる物理層の間、すなわち、送信側の物理層と受信側の物理層の間では物理チャネルを通じてデータが移動する。Ｅ−ＵＭＴＳで、物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調され、これにより、時間（ｔｉｍｅ）及び周波数（ｆｒｅｑｕｅｎｃｙ）を無線リソースとして用いる。
【００３９】
第２層の媒体接続制御（Ｍｅｄｉｕｍ  Ａｃｃｅｓｓ  Ｃｏｎｔｒｏｌ；以下、‘ＭＡＣ’と略す）層は、論理チャネル（Ｌｏｇｉｃａｌ  Ｃｈａｎｎｅｌ）を通じて上位層である無線リンク制御（Ｒａｄｉｏ  Ｌｉｎｋ  Ｃｏｎｔｒｏｌ；以下、‘ＲＬＣ’と略す）層にサービスを提供する。第２層のＲＬＣ層は、信頼性あるデータの伝送を支援する。第２層のＰＤＣＰ層は、ＩＰｖ４やＩＰｖ６のようなＩＰパケットを用いて相対的に帯域幅の小さい無線区間でデータを効率的に伝送するために、余分の制御情報を減らすヘッダー圧縮（Ｈｅａｄｅｒ  Ｃｏｍｐｒｅｓｓｉｏｎ）機能を果たす。
【００４０】
第３層の最下部に位置している無線リソース制御（Ｒａｄｉｏ  Ｒｅｓｏｕｒｃｅ  Ｃｏｎｔｒｏｌ；以下、‘ＲＲＣ’と略す。）層は、制御プレーンにのみ定義され、無線ベアラ（Ｒａｄｉｏ  Ｂｅａｒｅｒ；以下、‘ＲＢ’と略す。）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）について論理チャネル、伝送チャネル及び物理チャネルの制御を担当する。ここで、ＲＢは、端末とＵＴＲＡＮとの間におけるデータ伝達のために第２層により提供されるサービスを意味する。
【００４１】
ネットワークにおいて端末にデータを伝送する下り伝送チャネルには、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、その他ユーザトラフィックや制御メッセージを伝送する下りＳＣＨ（Ｓｈａｒｅｄ  Ｃｈａｎｎｅｌ）がある。下りマルチキャストまたは放送サービスのトラフィックまたは制御メッセージは、下りＳＣＨを通じて伝送されることもでき、または、別の下りＭＣＨ（Ｍｕｌｔｉｃａｓｔ  Ｃｈａｎｎｅｌ）を通じて伝送されることもできる。一方、端末からネットワークへデータを伝送する上り伝送チャネルには、初期制御メッセージを伝送するＲＡＣＨ（Ｒａｎｄｏｍ  Ａｃｃｅｓｓ  Ｃｈａｎｎｅｌ）とその他ユーザトラフィックや制御メッセージを伝送する上りＳＣＨ（Ｓｈａｒｅｄ  Ｃｈａｎｎｅｌ）がある。
【００４２】
伝送チャネルの上位に設けられ、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４３】
Ｅ−ＵＭＴＳシステムではダウンリンクでＯＦＤＭ方式を利用し、アップリンクではＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を利用する。多重搬送波方式であるＯＦＤＭシステムは、搬送波の一部をグループ化した多数の副搬送波（ｓｕｂｃａｒｒｉｅｒｓ）単位でリソースを割り当てるシステムであり、接続方式にＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を用いる。
【００４４】
図６は、本発明の一実施例によるデータ伝送方法の手順を示すフローチャートである。図６の実施例は、端末（ＵＥ）が、パーシステントスケジューリング方式によって音声データ（ＶｏＩＰパケット）を受信する途中に、動的スケジューリング方式によってＳＲＢパケットを受信する例に関するものである。以下では、本発明の一実施例の理解に必要な限度内でのみ説明をし、その他ネットワークと端末間の通信のために必要な一般の手順については説明を省略する。
【００４５】
図６を参照すると、基地局（ｅＮＢ）は、端末に二つの端末識別子を割り当てる［Ｓ６１］。これら二つの端末識別子の例には、Ｃ−ＲＮＴＩ及びＳＰＳ−Ｃ−ＲＮＴＩ（Ｓｅｍｉ−Ｐｅｒｓｉｓｔｅｎｔ  Ｓｃｈｅｄｕｌｉｎｇ）があるが、これに限定されず、他の端末識別子、例えば、臨時Ｃ−ＲＮＴＩまたはＲＡ−ＲＮＴＩなども可能である。これら二つの端末識別子を、ランダムアクセス過程、呼設定過程または無線ベアラ（ＲＢ：  Ｒａｄｉｏ  Ｂｅａｒｅｒ）設定過程などでネットワークにより当該端末に割り当てることができる。また、これら二つの端末識別子は同時に割り当てても良く、個別に割り当てても良い。
【００４６】
基地局は、初期伝送ＶｏＩＰパケット（Ｖ１）を、ＰＤＳＣＨを通じて当該端末に伝送する［Ｓ６２］。この初期伝送ＶｏＩＰパケット（Ｖ１）は、ＨＡＲＱ方式が適用される場合、再伝送パケットでない音声パケットを意味する。端末が初期伝送ＶｏＩＰパケット（Ｖ１）を成功的に受信できなかった場合、すなわち、初期伝送ＶｏＩＰパケットの復号に失敗した場合、端末は、否定受信確認信号（ＮＡＣＫ）をＰＵＣＣＨ（Ｐｈｙｓｉｃａｌ  Ｕｐｌｉｎｋ  Ｃｏｎｔｒｏｌ  Ｃｈａｎｎｅｌ）を通じて基地局に伝送する［Ｓ６３］。この初期伝送ＶｏＩＰパケット（Ｖ１）及びＮＡＣＫの伝送及び受信には、パーシステントスケジューリング方式が適用される。すなわち、端末は、初期伝送ＶｏＩＰパケット（Ｖ１）を受信したりＮＡＣＫ（またはＡＣＫ）を送信する度にＤＬスケジューリング情報またはＵＬスケジューリング情報を当該基地局から受け取らずに、当該基地局にあらかじめ割り当てられたスケジューリング情報を利用する。したがって、Ｓ６２及びＳ６３段階で、端末は、スケジューリング情報を受信する必要がない。
【００４７】
上記の通り、端末が初期伝送ＶｏＩＰパケット（Ｖ１）を受信したりＮＡＣＫ（またはＡＣＫ）を送信する時には、パーシステントスケジューリング方式が適用されるが、基地局による再伝送ＶｏＩＰパケットの伝送には動的スケジューリング方式が適用される。したがって、端末が基地局にＮＡＣＫを伝送した後には、再伝送パケットを受信するためにスケジューリング情報をまず受信しなければならず、そのために端末はＬ１／Ｌ２制御チャネルのＰＤＣＣＨをモニタリングする。
【００４８】
図６で、基地局は、ＰＤＣＣＨを通じて第１スケジューリング情報を端末に伝送する［Ｓ６４］。第１スケジューリング情報は、動的スケジューリング方式によって端末に上り及び下りチャネルリソースを割り当てるための情報で、ＤＬスケジューリング情報及びＵＬスケジューリング情報を含むことができる。第１スケジューリング情報は、基地局が端末にＳＲＢパケットを伝送するためのスケジューリング情報であると仮定する。
【００４９】
端末は、Ｓ６３段階で、基地局から伝送されてきた初期伝送ＶｏＩＰパケットに対してＮＡＣＫを伝送した状態であるので、初期伝送ＶｏＩＰパケット（Ｖ１）に対する再伝送ＶｏＩＰパケットを受信するためにＰＤＣＣＨをモニタリングする。ところが、ＰＤＣＣＨを通じて再伝送ＶｏＩＰパケットを受信するためのスケジューリング情報が伝送されずに、Ｓ６４段階のように、ＳＲＢパケットを伝送するための第１スケジューリング情報が伝送される場合、従来技術によれば、端末は、この第１スケジューリング情報を再伝送ＶｏＩＰパケットの受信のためのスケジューリング情報と誤認することがある。この場合、端末は、第１スケジューリング情報を用いて受信される初期伝送ＳＲＢパケットを再伝送ＶｏＩＰパケットと判断し、ＨＡＲＱ方式によって初期伝送ＶｏＩＰパケットと結合してパケットの復元を試みることになり、結果として誤りを発生させる。
【００５０】
このような誤りを防止するために、図６の実施例では、ＰＤＣＣＨを通じて伝送されるスケジューリング情報に、該当のスケジューリング情報が特定スケジューリング方式によって伝送される旨を指示するための指示情報を含めて伝送する。図６の実施例では、この指示情報として、Ｓ６１段階で割り当てられた二つの端末識別子を用いる。すなわち、Ｃ−ＲＮＴＩは、動的スケジューリング方式によってスケジューリング情報が伝送される旨を指示する情報として利用し、ＳＰＳ−Ｃ−ＲＮＴＩは、パーシステントスケジューリング方式によって伝送された初期伝送パケットに対する再伝送パケットを伝送するためのスケジューリング情報が伝送される旨を指示する情報として利用することができる。すなわち、図６で、ＳＰＳ−Ｃ−ＲＮＴＩは、該当のスケジューリング情報がパーシステントスケジューリング方式によって伝送された初期伝送ＶｏＩＰパケットに対する再伝送ＶｏＩＰパケットの伝送のためのスケジューリング情報である旨を指示するために使用される。Ｃ−ＲＮＴＩまたはＳＰＳ−Ｃ−ＲＮＴＩは、該当のスケジューリング情報に含まれて伝送されたり、スケジューリング情報にＣＲＣマスキングされる形態で伝送されたりすることができる。
【００５１】
図６で、Ｓ６４段階で受信されたスケジューリング情報にＣ−ＲＮＴＩが含まれている場合、端末は、このスケジューリング情報が動的スケジューリング方式によるスケジューリング情報であることを認識し、このスケジューリング情報を用いて、基地局から伝送される初期伝送ＳＲＢパケット（Ｓ１）を受信する［Ｓ６５］。
【００５２】
基地局は、初期伝送ＶｏＩＰパケット（Ｖ１）に対する再伝送パケット（Ｖ２）を伝送するために、ＰＤＣＣＨを通じてＳＰＳ−Ｃ−ＲＮＴＩの含まれた第２スケジューリング情報を端末に伝送する［Ｓ６６］。端末は、ＳＰＳ−Ｃ−ＲＮＴＩの含まれた第２スケジューリング情報を受信すると、この第２スケジューリング情報を用いて、基地局から伝送される再伝送ＶｏＩＰパケット（Ｖ２）を受信する［Ｓ６７］。端末は、ＨＡＲＱ方式によって、受信した再伝送ＶｏＩＰパケット（Ｖ２）と初期伝送ＶｏＩＰパケット（Ｖ１）とを結合してＶｏＩＰパケットを復元する［Ｓ６８］。ＶｏＩＰパケットの復元に成功すると、端末は、基地局に受信肯定確認信号（ＡＣＫ）を伝送する［Ｓ６９］。このＶｏＩＰパケットは、基地局から端末に伝送しようとしたデータパケットを意味するもので、ＨＡＲＱ方式によって伝送するために、初期伝送ＶｏＩＰパケット（Ｖ１）、再伝送ＶｏＩＰパケット（Ｖ２）に分割して端末に伝送されたものである。
【００５３】
図６の実施例で、第１及び第２スケジューリング情報は、この第１及び第２スケジューリング情報によって基地局から端末に伝送されるデータパケットが初期伝送パケットなのか或いは再伝送パケットなのかを識別できる識別情報をさらに含むことができる。この識別情報は、第１スケジューリング情報及び第２スケジューリング情報の特定フィールドを、既に設定された値に設定することによって、第１及び第２スケジューリング情報に含めることができる。例えば、第１及び第２スケジューリング情報に含まれるリダンダンシーバージョン（ＲＶ：  Ｒｅｄｕｎｄａｎｃｙ  Ｖｅｒｓｉｏｎ）フィールドに１、２、３などのような特定値を設定することによって、１番目の再伝送パケット、２番目の再伝送パケット、３番目の再伝送パケットであることを表示することができる。ＲＶフィールドの他にも、第１及び第２スケジューリング情報に含まれる別のフィールド、例えば、ＨＡＲＱプロセスＩＤフィールド、フォーマット（ｆｏｒｍａｔ）フィールド、ＭＣＳフィールド、ＮＤＩ（Ｎｅｗ  ｄａｔａ  ｉｎｄｉｃａｔｏｒ）フィールド、ＴＰＣフィールド、“Ｃｙｃｌｉｃ  ｓｈｉｆｔ  ｆｏｒ  ＤＭＲＳ”フィールド、“ＴＸ  ａｎｔｅｎｎａ”フィールド、ＣＱＩ要請フィールドなどの少なくとも一つのフィールドを特定値に設定することによって識別情報として用いることができる。
【００５４】
図６の実施例で、スケジューリング情報に含まれた特定フィールド、例えば、ＨＡＲＱプロセスＩＤフィールドが、あらかじめ約束された特定値に設定された場合、このスケジューリング情報を受信した端末は、該スケジューリング情報がパーシステントスケジューリング方式のための設定情報であると見なす。したがって、この特定値に設定されたＨＡＲＱプロセスＩＤフィールドが含まれたスケジューリング情報を受信した端末は、無線ベアラ（ＲＢ）または呼設定が解除されるか、或いは、別のスケジューリング情報に更新されるまでこのスケジューリング情報を用いてパーシステントスケジューリング方式によってデータを送信または受信する。
【００５５】
この場合、特定値以外の値に設定されたＨＡＲＱプロセスＩＤフィールドが含まれたスケジューリング情報を受信した端末は、このスケジューリング情報を該当の伝送時間区間（ＴＴＩ：  Ｔｒａｎｓｐｏｒｔ  Ｔｉｍｅ  Ｉｎｔｅｒｖａｌ）でのみ使用したり、このスケジューリング情報と関連したＨＡＲＱプロセッサで最大伝送制限回数（ｍａｘｉｍｕｍ  ｎｕｍｂｅｒ  ｏｆ  ｔｒａｎｓｍｉｓｓｉｏｎ）に到達するまでのみ使用する。
【００５６】
図７は、本発明の他の実施例によるデータ伝送方法の手順を示すフローチャートである。図７の実施例は、図６の実施例と同様に、端末（ＵＥ）がパーシステントスケジューリング方式によって音声データ（ＶｏＩＰパケット）を受信する途中に、動的スケジューリング方式によってＳＲＢパケットを受信する例に関するもので、動的スケジューリング方式によるＨＡＲＱ手法とパーシステントスケジューリング方式によるＨＡＲＱ手法を区別するための実施例である。以下では、本発明の実施例の理解に必要な限度でのみ説明をし、その他ネットワークと端末間の通信のために必要な一般的な手順についての説明は省略する。
【００５７】
上記の通り、端末が初期伝送ＶｏＩＰパケットを受信したり、初期伝送ＶｏＩＰパケットに対するＮＡＣＫ（またはＡＣＫ）を送信する時にはパーシステントスケジューリング方式が適用されるが、基地局による再伝送ＶｏＩＰパケットの伝送には動的スケジューリング方式が適用される。したがって、端末が基地局に初期伝送ＶｏＩＰパケットに対するＮＡＣＫを伝送した後にこの基地局から再伝送ＶｏＩＰパケットを受信するためには、ＰＤＣＣＨを通じてスケジューリング情報をまず受信しなければならない。
【００５８】
端末が音声通話をする途中に動的スケジューリング方式によるパケット、例えば、ＳＲＢパケットを受信すると、再伝送ＶｏＩＰパケットの送受信のために伝送されるスケジューリング情報とＳＲＢパケットの受信のために伝送されるスケジューリング情報とを区別して受信する必要がある。このために、図７の実施例では、再伝送ＶｏＩＰパケットの送受信のために伝送されるスケジューリング情報に含まれるＨＡＲＱプロセスＩＤフィールドを、少なくとも一つの特定値に設定する。図７の実施例は、ＨＡＲＱプロセスＩＤフィールドが‘１０１’、‘１１０’、‘１１１’に設定された場合、該当のスケジューリング情報が再伝送ＶｏＩＰパケットの送受信のために伝送されるスケジューリング情報である旨を表す例である。基地局と端末は、初期接続過程、呼設定過程またはＲＢ設定過程などで、再伝送ＶｏＩＰパケットの送受信のために伝送されるスケジューリング情報であることを表すためにＨＡＲＱプロセスＩＤフィールドを上記の特定値にあらかじめ設定するように約束することができる。
【００５９】
図７を参照すると、基地局（ｅＮＢ）は端末（ＵＥ）に初期伝送ＶｏＩＰパケット（Ｖ１）を伝送する［Ｓ７１］。この初期伝送ＶｏＩＰパケットは、再伝送パケットでない音声データパケットを意味する。端末が初期伝送ＶｏＩＰパケットを成功的に受信できなかった場合、端末は基地局に否定受信確認信号（ＮＡＣＫ）を伝送する［Ｓ７２］。
【００６０】
基地局は、初期伝送ＳＲＢパケット（Ｓ１）を伝送するために、ＰＤＣＣＨを通じて第１スケジューリング情報を端末に伝送する［Ｓ７３］。端末は、受信された第１スケジューリング情報に含まれたＨＡＲＱプロセスＩＤフィールドの設定値が、あらかじめ約束された特定値でない場合、この第１スケジューリング情報が初期伝送ＶｏＩＰパケット（Ｖ１）に対する再伝送パケットのためのものでないことを認識する。第１スケジューリング情報のＨＡＲＱプロセスＩＤフィールドが、あらかじめ約束された値ではなく、‘０００’に設定されたので、端末は、第１スケジューリング情報を用いて基地局から伝送される初期伝送ＳＲＢパケット（Ｓ１）を受信する［Ｓ７４］。この初期伝送ＳＲＢパケット（Ｓ１）を成功的に復号できなかった場合、端末は基地局にＮＡＣＫを伝送する［Ｓ７５］。
【００６１】
基地局は、初期伝送ＶｏＩＰパケット（Ｖ１）に対する第１再伝送ＶｏＩＰパケット（Ｖ２）を端末に伝送するために、ＨＡＲＱプロセスＩＤフィールドがあらかじめ約束された特定値の一つである‘１０１’に設定された第２スケジューリング情報を、ＰＤＣＣＨを通じて端末に伝送する［Ｓ７６］。端末は、受信した第２スケジューリング情報のＨＡＲＱプロセスＩＤフィールドが、あらかじめ約束された特定値に設定されたことを確認した後、この第２スケジューリング情報が初期伝送ＶｏＩＰパケット（Ｖ１）に対する再伝送パケットのためのスケジューリング情報であることを把握できる。
【００６２】
基地局は、第２スケジューリング情報によって第１再伝送ＶｏＩＰパケット（Ｖ２）を端末に伝送し、端末は、第２スケジューリング情報を用いて第１再伝送ＶｏＩＰパケット（Ｖ２）を受信する［Ｓ７７］。端末は、ＨＡＲＱ方式によって第１再伝送ＶｏＩＰパケット（Ｖ２）と初期伝送ＶｏＩＰパケット（Ｖ１）とを結合（ｃｏｍｂｉｎｉｎｇ）して復号する［Ｓ７８］。端末がＶｏＩＰパケットを成功的に復元できなかった場合、端末は基地局にＮＡＣＫを伝送する［Ｓ７９］。
【００６３】
基地局は、初期伝送ＳＲＢパケット（Ｓ１）に対する再伝送パケットを伝送するために、ＨＡＲＱプロセスＩＤが‘０００’に設定された第３スケジューリング情報をＰＤＣＣＨを通じて端末に伝送する［Ｓ８０］。基地局は、第３スケジューリング情報によって再伝送ＳＲＢパケット（Ｓ２）を端末に伝送し、端末は、第３スケジューリング情報を用いて再伝送ＳＲＢパケット（Ｓ２）を受信する［Ｓ８１］。端末は、受信した再伝送ＳＲＢパケット（Ｓ２）と初期伝送ＳＲＢパケット（Ｓ１）とを結合して復号し［Ｓ８２］、復号に成功すると、基地局にＡＣＫを伝送する［Ｓ８３］。
【００６４】
基地局は、第１再伝送ＶｏＩＰパケット（Ｖ２）に対する再伝送パケットを伝送するために、端末にＨＡＲＱプロセスＩＤフィールドが‘１１０’に設定された第４スケジューリング情報を、ＰＤＣＣＨを通じて伝送する［Ｓ８４］。端末は、受信した第４スケジューリング情報のＨＡＲＱプロセスＩＤフィールドが、あらかじめ約束された特定値に設定されたことを確認した後、この第４スケジューリング情報が第１再伝送ＶｏＩＰパケット（Ｖ２）に対する再伝送パケットのためのスケジューリング情報であることを把握できる。
【００６５】
基地局は、第４スケジューリング情報によって、第１再伝送ＶｏＩＰパケット（Ｖ２）に対する再伝送パケットである第２再伝送ＶｏＩＰパケット（Ｖ３）を端末に伝送し、端末は、第４スケジューリング情報を用いて第２再伝送ＶｏＩＰパケット（Ｖ３）を受信する［Ｓ８５］。端末は、ＨＡＲＱ方式によって、第２再伝送ＶｏＩＰパケット（Ｖ３）、第１再伝送ＶｏＩＰパケット（Ｖ２）及び初期伝送ＶｏＩＰパケット（Ｖ１）を結合して復号する［Ｓ８６］。ＶｏＩＰパケットを成功的に復元した場合、端末は基地局にＡＣＫを伝送する［Ｓ８７］。
【００６６】
図７の実施例のように、再伝送ＶｏＩＰパケットの送受信のために伝送されるスケジューリング情報であることを表すために、ＨＡＲＱプロセスＩＤフィールドを多数の特定値に設定できるようにした場合、多数の特定値が順次にＨＡＲＱプロセスＩＤフィールドに含まることもでき、任意に選択された特定値がＨＡＲＱプロセスＩＤフィールドに含まれることもできる。再伝送ＶｏＩＰパケットの送受信のために伝送されるスケジューリング情報であることを表すために、ＨＡＲＱプロセスＩＤフィールドではなく、スケジューリング情報の別のフィールドを特定値に設定することも可能である。
【００６７】
図７の実施例は、スケジューリング情報に含まれるＨＡＲＱプロセスＩＤフィールドを特定値に設定することによって、該スケジューリング情報がパーシステントスケジューリング方式により伝送された初期伝送ＶｏＩＰパケットに対する再伝送パケットのためのスケジューリング情報であることを表した例である。
【００６８】
他の実施例として、スケジューリング情報に含まれた特定フィールド、例えば、ＨＡＲＱプロセスＩＤフィールドがあらかじめ約束された特定値に設定された場合、このスケジューリング情報を受信した端末は、このスケジューリング情報がパーシステントスケジューリング方式のための設定情報であると見なす。したがって、この特定値に設定されたＨＡＲＱプロセスＩＤフィールドが含まれたスケジューリング情報を受信した端末は、無線ベアラ（ＲＢ）または呼設定が解除されるか、または、他のスケジューリング情報に更新されるまで、当該スケジューリング情報を用いてパーシステントスケジューリング方式によってデータを送信したり受信する。
【００６９】
この場合、上記特定値以外の値に設定されたＨＡＲＱプロセスＩＤフィールドが含まれたスケジューリング情報を受信した端末は、このスケジューリング情報を該当の伝送時間区間（ＴＴＩ：  Ｔｒａｎｓｐｏｒｔ  Ｔｉｍｅ  Ｉｎｔｅｒｖａｌ）でのみ使用したり、このスケジューリング情報と関連したＨＡＲＱプロセッサで最大伝送制限回数（ｍａｘｉｍｕｍ  ｎｕｍｂｅｒ  ｏｆ  ｔｒａｎｓｍｉｓｓｉｏｎ）に到達するまでのみ使用する。
【００７０】
図８は、本発明のさらに他の実施例によるデータ通信方法の手順を示すフローチャートである。図８の実施例は、パーシステントスケジューリング方式によって端末が基地局にアップリンクデータ、例えば、音声通話のためのデータを送信する例に関するものである。以下では、本発明の実施例の理解に必要な限度でのみ説明をし、その他ネットワークと端末間の通信のために必要な一般的な手順についての説明は省略する。
【００７１】
上記の通り、パーシステントスケジューリング方式によって初期伝送データパケットを伝送する場合にも、この初期伝送データパケットに対する再伝送パケットの伝送については動的スケジューリング方式が用いられる。また、パーシステントスケジューリングの設定のための第１スケジューリング情報及びパーシステントスケジューリング方式による初期伝送データパケットに対する再伝送パケットを伝送するための第２スケジューリング情報は、同一のＳＰＳ−Ｃ−ＲＮＴＩを使用する。そのため、第１スケジューリング情報及び第２スケジューリング情報を区別するためにスケジューリング情報に含まれる特定フィールドや指示子を用いることができ、図８の実施例では、ＮＤＩ（Ｎｅｗ  Ｄａｔａ  Ｉｎｄｉｃａｔｏｒ）を用いる。ただし、この特定フィールドや指示子がＮＤＩに制限されるわけではない。例えば、パーシステントスケジューリングの設定のためのスケジューリング情報を区別するために、このスケジューリング情報に含まれるＲＶ（ｒｅｄｕｎｄａｎｃｙ  ｖｅｒｓｉｏｎ）をあらかじめ指定された値に設定することも可能である。
【００７２】
本文書で、“初期伝送データパケット”とは、ＨＡＲＱ伝送において各ＨＡＲＱプロセス別に初めて伝送されるパケットのことを意味する。また、“再伝送データパケット”は、初期伝送データパケットまたは別の再伝送データパケットに対して受信側からＮＡＣＫを受信した場合に再伝送されるパケットのことを意味する。
【００７３】
図８を参照すると、基地局（ｅＮＢ）は、ＰＤＣＣＨを通じてパーシステントスケジューリングの設定（ｃｏｎｆｉｇｕｒａｔｉｏｎ）のための第１スケジューリング情報を端末（ＵＥ）に伝送する［Ｓ８０１］。この第１スケジューリング情報は、アップリンクチャネルリソース割当情報及びＨＡＲＱ関連情報を含む。該第１スケジューリング情報は、端末に割り当てられたＳＰＳ−Ｃ−ＲＮＴＩを用いてＣＲＣマスキングされ、この第１スケジューリング情報に含まれるＮＤＩは“０”に設定される。端末は、ＳＰＳ−Ｃ−ＲＮＴＩから、第１スケジューリング情報がパーシステントスケジューリングと関連した情報であることがわかり、“０”に設定されたＮＤＩから、第１スケジューリング情報がパーシステントスケジューリングの設定情報であることがわかる。端末は、第１スケジューリング情報に含まれたアップリンクチャネルリソース割当情報及びＨＡＲＱ関連情報を用いて周期的にアップリンクデータパケットを伝送する。端末は、第１スケジューリング情報を、無線ベアラ（ＲＢ）が解除されたり、別の設定情報に代替されるまで使用し続く。
【００７４】
この第１スケジューリング情報を受信した端末は、アップリンクチャネルリソース割当情報を用いて基地局に第１初期伝送データパケットを伝送する［Ｓ８０２］。基地局が第１初期伝送データパケットの復号に失敗した場合、基地局は端末にＮＡＣＫを伝送する［Ｓ８０３］。端末にＮＡＣＫを伝送した後に基地局は、ＰＤＣＣＨを通じて端末に第２スケジューリング情報を伝送する［Ｓ８０４］。この第２スケジューリング情報は、再伝送パケットの伝送のためのアップリンクチャネルリソース割当情報及びＨＡＲＱ関連情報を含む。また、第２スケジューリング情報は、ＳＰＳ−Ｃ−ＲＮＴＩを含み、第２スケジューリング情報が再伝送パケットの伝送と関連する旨を指示するためにＮＤＩは“１”に設定される。
【００７５】
端末は、第２スケジューリング情報に含まれたアップリンクチャネルリソース割当情報を用いて、基地局に第１初期伝送データパケットに対する再伝送パケットとして第１再伝送データパケットを伝送する［Ｓ８０５］。基地局は、この第１再伝送データパケットを第１初期伝送データパケットと結合して復号し、復号に成功した場合、端末にＡＣＫを伝送する［Ｓ８０６］。
【００７６】
端末は、基地局に第２初期伝送データパケットを伝送する［Ｓ８０７］。この時、端末は、第１スケジューリング情報に含まれたアップリンクチャネルリソース割当情報に応じたアップリンクチャネルリソースを通じて第２初期伝送データパケットを伝送する。基地局が第２初期伝送データパケットの復号に失敗した場合、基地局は端末にＮＡＣＫを伝送する［Ｓ８０８］。その後、基地局は、端末に割り当てられたＳＰＳ−Ｃ−ＲＮＴＩを用いて、第３スケジューリング情報を端末に伝送する［Ｓ８０９］。第３スケジューリング情報は“１”に設定されたＮＤＩを含み、端末は、このＮＤＩから、第３スケジューリング情報が再伝送データパケットの伝送のための情報であることがわかる。端末は、第３スケジューリング情報に含まれたアップリンクチャネルリソース割当情報を用いて、基地局に第２初期伝送データパケットに対する再伝送パケットとして第２再伝送データパケットを伝送する［Ｓ８１０］。基地局は、第２再伝送データパケットを第２初期伝送データパケットと結合して復号し、復号に成功した場合、端末にＡＣＫを伝送する［Ｓ８１１］。
【００７７】
基地局がパーシステントスケジューリングのための設定情報を変更する必要がある場合、基地局は、第４スケジューリング情報を端末に伝送する［Ｓ８１２］。第４スケジューリング情報は、端末に割り当てられたＳＰＳ−Ｃ−ＲＮＴＩを含み、第４スケジューリング情報に含まれたＮＤＩは“０”に設定される。端末は、“０”に設定されたＮＤＩから、第４スケジューリング情報がパーシステントスケジューリングの設定のための情報であることが把握できる。以降、端末が基地局に初期伝送データパケットを伝送するために、第４スケジューリング情報に含まれたアップリンクチャネルリソース割当情報及びＨＡＲＱ関連情報を利用する。
【００７８】
図９は、本発明のさらに他の実施例によるデータ通信方法の手順を示すフローチャートである。図９の実施例は、パーシステントスケジューリング方式によって端末が基地局からダウンリンクデータ、例えば、音声通話のためのデータを受信する例に関するものである。以下では、本発明の実施例の理解に必要な限度でのみ説明をし、その他ネットワークと端末間の通信のために必要な一般的な手順についての説明は省略する。
【００７９】
図８の実施例がアップリンクデータの伝送に関連するものであり、図９の実施例がダウンリンクデータの受信と関連するものである点以外は、図９の実施例の基本的な構造は、図８の実施例のそれと略同様である。ただし、図９の実施例では、多数のＨＡＲＱプロセスＩＤのうち少なくとも一つが、パーシステントスケジューリングのためのものとして端末にあらかじめ割り当てられる。
【００８０】
図９を参照すると、基地局（ｅＮＢ）は、例えば、“０”〜“７”までの８個のＨＡＲＱプロセスＩＤのうち、“０”及び“１”をパーシステントスケジューリングのためのＨＡＲＱプロセスＩＤとして端末（ＵＥ）に割り当てる［Ｓ９０１］。これらのＨＡＲＱプロセスＩＤは、呼設定や無線ベアラ設定過程で、ＲＲＣメッセージを通じて基地局から端末に割り当てられることができる。端末は、初期伝送データパケットのＨＡＲＱプロセスＩＤを、基地局からあらかじめ割り当てられたＨＡＲＱプロセスＩＤのうちの各ＨＡＲＱプロセスＩＤに順次に設定する。図９の実施例では、二つのＨＡＲＱプロセスＩＤをパーシステントスケジューリングのために割り当てたが、場合によっては、一つのＨＡＲＱプロセスＩＤまたは三つ以上のＨＡＲＱプロセスＩＤをパーシステントスケジューリングのためにあらかじめ割り当てることも可能である。
【００８１】
基地局は、ＰＤＣＣＨを通じてパーシステントスケジューリングの設定（ｃｏｎｆｉｇｕｒａｔｉｏｎ）のための第１スケジューリング情報を端末（ＵＥ）に伝送する［Ｓ９０２］。第１スケジューリング情報は、ダウンリンクチャネルリソース割当情報及びＨＡＲＱ関連情報を含む。第１スケジューリング情報は、端末に割り当てられたＳＰＳ−Ｃ−ＲＮＴＩを用いてＣＲＣマスキングされ、第１スケジューリング情報に含まれるＮＤＩは、“０”に設定される。端末は、ＳＰＳ−Ｃ−ＲＮＴＩから、この第１スケジューリング情報がパーシステントスケジューリングと関連する情報であることがわかり、“０”に設定されたＮＤＩから、第１スケジューリング情報がパーシステントスケジューリングの設定情報であることがわかる。端末は、第１スケジューリング情報に含まれたダウンリンクチャネルリソース割当情報によって割り当てられたダウンリンクチャネルリソースを用いて、基地局からダウンリンクデータパケットを受信する。端末は、第１スケジューリング情報を、無線ベアラ（ＲＢ）が解除されたり、別の設定情報に代替されるまで持続して用いる。
【００８２】
第１スケジューリング情報を受信した端末は、当該ダウンリンクチャネルリソース割当情報を用いて基地局から第１初期伝送データパケットを受信する［Ｓ９０３］。端末は、第１初期伝送データパケットのためのＨＡＲＱプロセスＩＤが、Ｓ９０１段階であらかじめ割り当てられたＨＡＲＱプロセスＩＤのうちの１番目のＩＤ、すなわち、“０”であると見なし、第１初期伝送データパケットを復号する。
【００８３】
端末は、第１初期伝送データパケットの復号に失敗した場合、基地局にＮＡＣＫを伝送する［Ｓ９０４］。基地局は、ＤＰＣＣＨを通じて端末に第２スケジューリング情報を伝送する［Ｓ９０５］。この第２スケジューリング情報は、再伝送パケットの受信のためのダウンリンクチャネルリソース割当情報及びＨＡＲＱ関連情報を含む。ＨＡＲＱ関連情報に含まれるＨＡＲＱプロセスＩＤは、“０”に設定される。端末は、“０”に設定されたＨＡＲＱプロセスＩＤから、この第２スケジューリング情報を用いて受信されるデータパケットが第１初期伝送データパケットに対する再伝送パケットであることがわかる。また、第２スケジューリング情報は、ＳＰＳ−Ｃ−ＲＮＴＩを含み、この第２スケジューリング情報が再伝送パケットの受信と関連する旨を指示するためにＮＤＩは“１”に設定される。
【００８４】
端末は、第２スケジューリング情報に含まれたダウンリンクチャネルリソース割当情報及びＨＡＲＱ関連情報を用いて、基地局から第１初期伝送データパケットに対する再伝送パケットとして第１再伝送データパケットを受信する［Ｓ９０６］。端末は、この第１再伝送データパケットを第１初期伝送データパケットと結合して復号し、復号に失敗した場合、基地局にＮＡＣＫを伝送する［Ｓ９０７］。
【００８５】
端末は、基地局から第２初期伝送データパケットを受信する［Ｓ９０８］。この時、端末は、第１スケジューリング情報に含まれたダウンリンクチャネルリソース割当情報及びＨＡＲＱ関連情報を用いて第２初期伝送データパケットを受信する。端末は、第２初期伝送データパケットのためのＨＡＲＱプロセスＩＤが、上記Ｓ９０１段階であらかじめ割り当てられたＨＡＲＱプロセスＩＤのうちの２番目のＩＤ、すなわち、“１”であると見なして、第２初期伝送データパケットを復号する。
【００８６】
この第２初期伝送データパケットの復号に失敗した場合、端末は基地局にＮＡＣＫを伝送する［Ｓ９０９］。基地局は、端末に割り当てられたＳＰＳ−Ｃ−ＲＮＴＩを用いて第３スケジューリング情報を端末に伝送する［Ｓ９１０］。第３スケジューリング情報は、“１”に設定されたＮＤＩを含み、端末は、このＮＤＩから、第３スケジューリング情報が再伝送データパケットの伝送のための情報であることがわかる。また、第３スケジューリング情報は“１”に設定されたＨＡＲＱプロセスＩＤを含み、端末は、“１”に設定されたＨＡＲＱプロセスＩＤから、第３スケジューリング情報を用いて受信されるデータパケットが第２初期伝送データパケットの再伝送パケットであることがわかる。
【００８７】
端末は、第３スケジューリング情報に含まれたダウンリンクチャネルリソース割当情報及びＨＡＲＱ関連情報を用いて、基地局から第２初期伝送データパケットに対する再伝送パケットとして第２再伝送データパケットを受信する［Ｓ９１１］。端末は、第２再伝送データパケットを第２初期伝送データパケットと結合して復号し、復号に成功した場合、端末にＡＣＫを伝送する［Ｓ９１２］。
【００８８】
基地局は、端末に割り当てられたＳＰＳ−Ｃ−ＲＮＴＩを用いて第４スケジューリング情報を端末に伝送する［Ｓ９１３］。第４スケジューリング情報は、“１”に設定されたＮＤＩを含む。また、第４スケジューリング情報は、“０”に設定されたＨＡＲＱプロセスＩＤを含み、端末は、“０”に設定されたＨＡＲＱプロセスＩＤから、第４スケジューリング情報を用いて受信されるデータパケットが第１初期伝送データパケットの再伝送パケットであることがわかる。
【００８９】
端末は、第４スケジューリング情報に含まれたダウンリンクチャネルリソース割当情報及びＨＡＲＱ関連情報を用いて基地局から第１初期伝送データパケットに対する再伝送パケットとして第３再伝送データパケットを受信する［Ｓ９１４］。端末は、第３再伝送データパケットを第１初期伝送データパケット及び第１再伝送データパケットと結合して復号し、復号に成功した場合、端末にＡＣＫを伝送する［Ｓ９１５］。
【００９０】
基地局がパーシステントスケジューリングのための設定情報を変更する必要がある場合、基地局は、第５スケジューリング情報を端末に伝送する［Ｓ９１６］。第５スケジューリング情報は、端末に割り当てられたＳＰＳ−Ｃ−ＲＮＴＩを含み、第５スケジューリング情報に含まれたＮＤＩは、“０”に設定される。端末は、“０”に設定されたＮＤＩから、第５スケジューリング情報がパーシステントスケジューリングの設定のための情報であることが把握できる。以降、端末が基地局から初期伝送データパケットを受信するために、第５スケジューリング情報に含まれたダウンリンクチャネルリソース割当情報及びＨＡＲＱ関連情報を用いる。
【００９１】
図１０は、本発明のさらに他の実施例によるデータ伝送方法の手順を示すフローチャートである。図１０の実施例は、パーシステントスケジューリング方式によって基地局と端末が通信、例えば、音声通話のためのデータ送受信をする過程で、既に設定された所定イベントが発生した場合、当該イベント発生による後続措置が素早く取れるようにする例に関するものである。以下では、本発明の実施例の理解に必要な限度でのみ説明をし、その他ネットワークと端末間の通信のために必要な一般的な手順についての説明は省略する。
【００９２】
図１０を参照すると、基地局は、端末にパーシステントスケジューリング方式によってあらかじめ無線リソースを割り当てる［Ｓ１００１］。この無線リソースの割当は、ＲＢ設定過程または音声呼設定過程などで、基地局が端末に音声通話のためのスケジューリング情報を伝送することによって行うことができる。端末は基地局とあらかじめ受信されたスケジューリング情報を用いて音声通話を行う［Ｓ１００２］。
【００９３】
パーシステントスケジューリング方式によって音声通話を行う途中に端末及び／または基地局に所定イベントが発生すると［Ｓ１００３］、端末は所定過程を行う［Ｓ１００４］。所定イベントは、パーシステントスケジューリング方式によって端末に既に割り当てられた無線リソースだけでは円滑な通信が行えない状況に関するものである。端末が行う所定過程は、端末がイベントの発生を基地局に知らせることによって無線リソースの再割当などのような措置が取れるようにすることに関連する。
【００９４】
所定イベントの例としては、音声通話で用いられるコーデックモードの変更、音声通話時に音声通話と無関係なデータ、例えば、ＳＲＢパケット、ＲＴＣＰまたはＴＣＰデータの発生、圧縮ヘッダーパケットが発生する途中でフルヘッダーパケットが生成された場合、生成されたデータの量がパーシステントスケジューリング方式によってあらかじめ割り当てられた無線リソースを用いて伝送できるデータの量よりも多い場合、音声区間と黙音区間との相互切替が発生した場合などを挙げることができる。
【００９５】
Ｓ１００１段階で端末が行う所定過程の例としては、下記のようなものが挙げられる。
【００９６】
その第一は、端末が既に設定されたチャネル、例えば、Ｄ−ＳＲチャネルを通じて所定情報を伝送することによって、基地局に追加的な無線リソースの割当を要請したり新しい無線リソースの割当を要請したりすることである。
【００９７】
第二は、既に設定されたチャネルがない場合、端末がランダムアクセスチャネル（ＲＡＣＨ：  Ｒａｎｄｏｍ  Ａｃｃｅｓｓ  Ｃｈａｎｎｅｌ）を通じたランダムアクセス過程を行って基地局に所定情報を伝送することによって、追加的な無線リソースの割当を要請したり新しい無線リソースの割当を要請したりすることである。
【００９８】
第三は、端末が基地局にバッファー状態報告（ｂｕｆｆｅｒ  ｓｔａｔｕｓ  ｒｅｐｏｒｔ）をすることである。すなわち、端末が自身のバッファーに蓄積されたデータの量に関する情報を基地局に伝送することによって、追加的な無線リソースの割当を要請したり新しい無線リソースの割当を要請したりすることである。
【００９９】
以上説明してきた実施例は、本発明の構成要素及び特徴が所定形態に結合されたものである。各構成要素または特徴は、別の明示的な言及がない限り、選択的なものとして考慮しなければならない。各構成要素または特徴は、他の構成要素や特徴と結合しない形態で実施することもでき、一部構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成する、または、出願後の補正により新しい請求項とすることができることは明らかである。
【０１００】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行なわれることもできる。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより行なわれうることは明らかである。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１０１】
本発明による実施例は様々な手段、例えば、ハードウェア、ファームウェア（ｆｉｒｍｗａｒｅ）、ソフトウェアまたはそれらの結合などにより具現されることができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現されることができる。
【０１０２】
ファームウェアやソフトウェアによる具現の場合、本発明の一実施例は、以上で説明された機能または動作を行うモジュール、手順、関数などの形態で具現されることができる。ソフトウェアコードはメモリユニットに記憶され、プロセッサにより駆動されることができる。メモリユニットは、プロセッサの内部または外部に設けられ、既に公知の様々な手段によりプロセッサとデータを交換することができる。
【０１０３】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【図１】
2011511528.tif 000003
【図２】
2011511528.tif 000004
【図３】
2011511528.tif 000005
【図４】
2011511528.tif 000006
【図５Ａ】
2011511528.tif 000007
【図５Ｂ】
2011511528.tif 000008
【図６】
2011511528.tif 000009
【図７】
2011511528.tif 000010
【図８】
2011511528.tif 000011
【図９】
2011511528.tif 000012
【図１０】
2011511528.tif 000013
【国際調査報告】
2011511528.tif 000014
2011511528.tif 000015